(57)【特許請求の範囲】
【請求項１】
電子計算機用開発支援回路を内蔵する筐体と、その筐体側に設けられ且つ接続対象の基板と接続する機能を有するコネクタと、ｈ型のガイド溝を有するスタンドと、そのスタンドの角度を変えるときの支点となる位置に前記ガイド溝を貫通して前記筐体に取り付けられたガイドピンと、前記スタンドの角度および前記筐体を支持する高さを調整するときに前記スタンドを前記ガイド溝に沿って案内する位置に前記ガイド溝を貫通して前記筐体に取り付けられた調整ネジとを具備したことを特徴とする電子計算機用開発支援装置。
【発明の詳細な説明】
【０００１】
【発明の属する技術分野】
本発明は、電子計算機用開発支援装置に関し、さらに詳しくは、接続対象の基板の一部に過大な荷重が集中して加わることを防止できる電子計算機用開発支援装置に関する。
【０００２】
【従来の技術】
図７は、従来の電子計算機用開発支援装置の一例を示す斜視図である。
この電子計算機用開発支援装置５００において、電子計算機用開発支援回路を内蔵する筐体５１上には、コネクタ５２が設けられている。
【０００３】
図８は、前記電子計算機用開発支援装置５００を、接続対象の基板と接続する手順を示す説明図である。
図８の（ａ）に示すように、電子計算機用開発支援装置５００のコネクタ５２を、電子回路６０が実装されている基板６１のソケット６２に嵌め込む。前記基板６１は、脚部６３により水平に支持されている。
図８の（ｂ）に示すように、コネクタ５２とソケット６２との接続部分に荷重ｗ’が集中して加わるため、前記基板６１の水平性が損なわれ、接続が不完全となる不都合を生じる場合がある。なお、前記不都合を軽減するために、筐体５１の中央にコネクタ５２を設けて重量バランスを良好にすることは、回路配置の都合上、一般に、難しい。
【０００４】
【発明が解決しようとする課題】
上記従来の電子計算機用開発支援装置では、基板６１のソケット６２の部分に、筐体５１の荷重が集中して加わるため、接続が不完全となりやすい問題点がある（図８参照）。特に、近年は、ＣＰＵ（Central Processing Unit）の高速化，高機能化に伴って、電子計算機用開発支援回路を構成するチップの個数や体積の増大に起因する重量増加傾向や、接続ピン数の増大によるコンタクトピッチ微小化傾向があるので、前記問題点が、より顕著化してきた。
【０００５】
そこで、本発明の目的は、接続対象の基板の一部に過大な荷重が集中して加わることを防止できる電子計算機用開発支援装置を提供することにある。
【０００６】
【課題を解決するための手段】
本発明の電子計算機用開発支援装置は、電子計算機用開発支援回路を内蔵する筐体と、その筐体側に設けられ且つ接続対象の基板と接続する機能を有するコネクタと、ｈ型のガイド溝を有するスタンドと、そのスタンドの角度を変えるときの支点となる位置に前記ガイド溝を貫通して前記筐体に取り付けられたガイドピンと、前記スタンドの角度および前記筐体を支持する高さを調整するときに前記スタンドを前記ガイド溝に沿って案内する位置に前記ガイド溝を貫通して前記筐体に取り付けられた調整ネジとを具備したことを構成上の特徴とするものである。
上記本発明の電子計算機用開発支援装置では、基板との接続時には、調整ネジを緩めて、スタンドを設置面に対し垂直に立てるように、ガイドピンを支点としてスタンドの角度を変える。そして、筐体を支持する高さを基板との接続に適合するように調整してから、調整ネジを締めて、スタンドを筐体に固定する。
これにより、筐体の重量の一部をスタンドで吸収した状態で、基板との接続を行うことが可能となり、基板の一部に過大な荷重が集中して加わることを防止し、接続の信頼性を向上できる。
また、非接続時には、スタンドを水平に倒すことでコンパクト化できるので、持ち運びや収納に便利となる。
さらに、機構が比較的簡単なので、低コスト化を図れる。
【０００７】
【発明の実施の形態】
以下、図に示す実施の形態により本発明をさらに詳細に説明する。なお、これにより本発明が限定されるものではない。
図１は、本発明の一実施形態にかかる電子計算機用開発支援装置を示す斜視図である。図２の（ａ）は、図１の上面図である。図２の（ｂ）は、図１の側面図である。前記電子計算機用開発支援装置は、例えば、基板上に搭載されるＣＰＵの動作をエミュレートしてリアルタイムデバッグを支援するインサーキットエミュレータ（In-Circuit Emulator）や、基板上に搭載されるＲＯＭ（Read Only Memory）に格納するプログラム等をデバッグ（Debug）するためのインサーキットデバッガ（In-Circuit Debugger）である。
【０００８】
この電子計算機用開発支援装置１００は、電子計算機用開発支援回路（インサーキットエミュレータ用回路やインサーキットデバッガ用回路）を内蔵する筐体１と、その筐体１から突出する基台２と、その基台２に設けられ且つ接続対象の基板のソケット（図５，図６の３２）と接続する機能を有するコネクタ３と、前記筐体１の両側にそれぞれ設けられ且つｈ型のガイド溝ｄを有するスタンド４ａ，４ｂと、それらスタンド４ａ，４ｂの角度を設置面に垂直な面内で変える（実線と破線で示す角度の範囲内で可変である）ときの支点の位置に前記ガイド溝ｄを貫通するように前記筐体１に取り付けられたガイドピン５ａ，５ｂ（ネジであってもよい）と、前記スタンド４ａ，４ｂの角度および前記筐体１を支持する高さを調整するときに前記スタンドスタンド４ａ，４ｂを前記ガイド溝ｄに沿って案内する位置に前記ガイド溝ｄを貫通するように前記筐体１に取り付けられた手回しローレットネジ６ａ，６ｂとを具備して構成されている。前記スタンド４ａ，４ｂの材料は、絶縁材料であり、例えばガラスエポキシ樹脂である。なお、図１，図２において、筐体１に隠れて見えない構成要素（ガイドピン５ｂ，手回しローレットネジ６ｂ）の図示は省略する。
前記筐体１の上面には、電源や動作の状態に応じて点灯するＬＥＤ（Light-Emitting Diode）等が配置されたインジケータ部Ｉが設けられている。
【０００９】
この電子計算機用開発支援装置１００に基板（図５，図６の３１）を接続するときの手順は、次の（１）〜（４）の通りである。説明の都合上、初期状態では、前記スタンド４ａ，４ｂは、水平（図１の実線の姿勢）とする。
（１）操作者は、手回しローレットネジ６ａ，６ｂを手動で緩める。
（２）図３に示すように、ガイドピン５ａ，５ｂを支点として、スタンド４ａ，４ｂの角度を変える。この際、前記スタンド４ａ，４ｂは、前記手回しローレットネジ６ａ，６ｂに摺接する前記ガイド溝ｄの曲線部分に沿って案内される。
（３）図４に示すように、前記スタンド４ａ，４ｂが設置面に対し垂直となったら、前記スタンド４ａ，４ｂの角度調整を終える。角度調整後、前記スタンド４ａ，４ｂは、前記手回しローレットネジ６ａ，６ｂに摺接する前記ガイド溝ｄの直線部分に沿って案内されることで、上下に移動可能である。接続対象の基板（図６の３１）の支持面の高さ（図６のＨ）が既知の場合には、接続時の状態を想定して、前記筐体１を支持する高さＨｃを調整した後、前記手回しローレットネジ６ａ，６ｂを締めて、前記スタンド４ａ，４ｂを前記筐体１に固定する。接続対象の基板の支持面の高さが未知の場合には、前記筐体１を支持する高さＨｃを後で調整できるように、前記手回しローレットネジ６ａ，６ｂを緩めた状態のままにしておく。
（４）図５に示すように、前記電子計算機用開発支援装置１００のコネクタ３を、電子回路３０が実装されている基板３１のソケット３２に嵌め込む。なお、変換アダプタを介設して接続を行う場合もある。前記ソケット３２は、ＣＰＵソケットと，ＲＯＭソケットと，専用ソケットのいずれかである。前記基板３１は、脚部３２により水平に支持されている。一般に、前記基板３１の支持面の高さＨは、基板６１の種類によって異なる。図６に示すように、前記電子計算機用開発支援装置１００の片側がスタンド４ａ，４ｂにより支持されるので、ソケット３２に加わる荷重ｗを従来よりも低減して、接続を確実に行える。なお、上記（４）で前記筐体１を支持する高さＨｃを調整済みの場合はコネクタ３をソケット３２に嵌め込むだけでよいが、未調整の場合は筐体１が水平の姿勢でコネクタ３がソケット３２に嵌るように高さＨｃを調整してから前記手回しローレットネジ６ａ，６ｂを締める必要がある。
【００１０】
以上の電子計算機用開発支援装置１００によれば、接続対象の基板３１のソケット３２に過大な荷重が集中して加わることを防止できる。
また、筐体１の左右のそれぞれの側で高さＨｃを独立に調整することで、該筐体１の姿勢の水平精度を高めることが可能となり、コネクタ３とソケット３２との接続の信頼性をいっそう向上できる。
さらに、非接続時には、スタンド４ａ，４ｂを水平に倒す（図１，図２参照）ことでコンパクト化できるので、持ち運びや収納に便利となる。
【００１１】
−比較例−
従来の電子計算機用開発支援装置５００に、Ｉ型のガイド溝を有するスタンドと、前記ガイド溝を貫通して筐体に螺合する調整ネジとを設けることが考えられる。調整ネジを緩めてスタンドを摺動させ、筐体を支持する高さを調整し、調整ネジを締め付ければ、所望の高さに筐体を支持できる。しかし、この構造では、スタンドが任意の位置で回転しうるため、摺動させる時にスタンドの角度に気を付けなければならず、操作が煩雑となる。
これを解決するためには、調整ネジを２本にしてスタンドが回転しないようにすればよいが、そうすると、スタンドを倒すことが出来なくなるので、持ち運びや収納に不便になる。
これに対して、本発明の電子計算機用開発支援装置は、ｈ型のガイド溝を有するスタンドと、前記ガイド溝を貫通するガイドピンおよび調整ネジを設けているので、スタンドが垂直に摺動して操作が容易になると共に、所定位置ではスタンドを倒すことが出来るので持ち運びや収納にも不便がない。
【００１２】
【発明の効果】
本発明の電子計算機用開発支援装置によれば、接続対象の基板に過大な荷重を加えずに、安定した姿勢で接続を行うことが可能となり、接続の信頼性を向上することが出来る。
【図面の簡単な説明】
【図１】本発明の一実施形態にかかる電子計算機用開発支援装置を示す斜視図である。
【図２】図１の上面図および側面図である。
【図３】スタンドの角度を変えるときの状態を示す説明図である。
【図４】スタンドの角度を変えるときの状態を示す別の説明図である。
【図５】図１の電子計算機用開発支援装置と基板とを接続する状態を示す斜視図である。
【図６】図１の電子計算機用開発支援装置と基板とを接続した状態を示す側面図である。
【図７】従来の電子計算機用開発支援装置の一例を示す斜視図である。
【図８】図７の電子計算機用開発支援装置を接続対象の基板と接続する手順を示す説明図である。
【符号の説明】
１００  電子計算機用開発支援装置
１      筐体
２      基台
３      コネクタ
４ａ，４ｂ  スタンド
５ａ，５ｂ  ガイドピン
６ａ，６ｂ  手回しローレットネジ
ｄ          ガイド溝
Ｉ          インジケータ部
【図１】
0004246904.tif 000002
【図２】
0004246904.tif 000003
【図３】
0004246904.tif 000004
【図４】
0004246904.tif 000005
【図５】
0004246904.tif 000006
【図６】
0004246904.tif 000007
【図７】
0004246904.tif 000008
【図８】
0004246904.tif 000009